(57)【要約】【課題】互いに相関のない複数の情報を、それぞれ異なる態様で表示する表示装置を提供する。【解決手段】腕時計９の制御回路は、表記盤の裏側にある仕切盤の正面側に記載された測定値表示領域２１１の各数値と、放射状に描かれた線の角度との対応関係を予め不揮発性の記憶装置に記憶している。利用者が予め定めた操作手順により操作部を操作すると、操作部から脈拍測定をする旨の操作信号が出力される。この操作信号を受け取った制御回路８１は、脈拍数を算出し、不揮発性の記憶装置に記憶された対応関係に基づいて算出した脈拍数に対応した線の角度を特定し、表示駆動回路を駆動して、指標表記片１Ｂの分割線Ｃｂがこの角度になるように指標表記片１Ｂを矢線Ｄ２方向に回転させる【選択図】図５
2010071739.tif 000002
【特許請求の範囲】
【請求項１】
時刻を計測する計時手段と、
表示対象となる値を取得する取得手段と、
時刻の指標が表記された複数の指標表記片からなる表記盤と、
前記表記盤に表記された前記指標に従って、前記計時手段により計測された時刻を表示する時刻表示手段と、
前記複数の指標表記片のそれぞれの位置又は姿勢を相対的に変化させて、前記取得手段により取得された値を表示する値表示手段と
を具備することを特徴とする時計。
【請求項２】
前記値表示手段は、
前記表記盤において時刻の指標が表示されている面の裏側に配置され、前記表示対象となる値の指標が表記された値指標表記盤を具備し、
前記複数の指標表記片のそれぞれの位置又は姿勢を相対的に変化させて各指標表記片の間隙から前記値指標表記盤を露出させて、露出した当該値指標表記盤に表記された指標によって前記値を表示する
ことを特徴とする請求項１に記載の時計。
【請求項３】
前記時刻表示手段は、前記表記盤に表記された前記指標のいずれかを指し示す指示部材を或る点を中心に回転させて、前記計時手段により計測された時刻を表示し、
前記値表示手段は、前記複数の指標表記片の少なくともいずれかを、前記点を中心に回転させて各指標表記片の間隙から前記値指標表記盤を露出させて、露出した当該値指標表記盤に表記された指標によって前記値を表示する
ことを特徴とする請求項２に記載の時計。
【請求項４】
前記時刻表示手段は、前記表記盤に表記された前記指標のいずれかを指し示す指示部材を駆動して、前記計時手段により計測された時刻を表示し、
前記値表示手段は、前記表記盤における前記指示部材の位置を取得し、取得した位置に応じて、前記複数の指標表記片の中から、位置または姿勢を変化させる指標表記片を選択する
ことを特徴とする請求項１から３のいずれかに記載の時計。
【請求項５】
前記値表示手段は、取得した前記指示部材の位置に基づいて、当該指示部材が指し示す指標が表記された指標表記片を特定し、特定した指標表記片以外の指標表記片を、位置または姿勢を変化させる指標表記片として選択する
ことを特徴とする請求項４に記載の時計。
【請求項６】
前記値表示手段は、
利用者の操作に応じた信号を取得する信号取得手段と、
前記信号取得手段により取得された信号に応じて、前記値表示手段による表示を行わせるか否かを決定する決定手段と
を具備することを特徴とする請求項１から５のいずれかに記載の時計。
【請求項７】
表示対象となる第１の値を取得する第１取得手段と、
表示対象となる第２の値を取得する第２取得手段と、
前記第１の値の指標が表記された複数の指標表記片からなる表記盤と、
前記表記盤に表記された前記指標に従って、前記第１取得手段により取得された第１の値を表示する第１表示手段と、
前記複数の指標表記片のそれぞれの位置又は姿勢を相対的に変化させて、前記第２取得手段により取得された第２の値を表示する第２表示手段と
を具備することを特徴とする表示装置。
【発明の詳細な説明】
【技術分野】
【０００１】
本発明は、複数の情報を表示する時計および表示装置に関する。
【背景技術】
【０００２】
時計や計器等の表示装置には、指標が表記された表記盤とこの表記盤の上を移動してこれらの指標を指し示す指針とからなる機械式表示機構を有するものがある。機械式表示機構を有する表示装置の中には、１つの指針が駆動装置により駆動されることで、複数の情報を表示するものがある。その一例として、通常の使用状態では、時計が使用されている地域の時刻を表示しており、時計に設けられたボタン等が押下されると、予め設定された他の地域の時刻を表示するというような世界時計がある。このように、表示装置が複数の情報を表示することにより、利用者の利便性が増す。しかし、複数の情報のそれぞれは、いずれも同一の指針が表記盤上の指標を指し示すことにより表示されるので、どの情報が表示されているのか一見してわからない場合も多い。上述した世界時計の場合、現在表示している時刻がどの地域のものであるかを知るためには、利用者がボタンを押下したことを記憶しているか、別途その地域を表示する必要がある。
そこで、指針とともに表記盤を動かして複数の情報を表示する時計が開発されている。特許文献１には、時計の表記盤のうち円周上に世界各地の地名等が表示されている地域盤と短針とが共に動くことによって、利用者に世界各地の時刻を同時に認識させる時計の技術が記載されている。
【特許文献１】特開２００４−５１３３５１号公報
【発明の開示】
【発明が解決しようとする課題】
【０００３】
ところが、特許文献１の技術で表示される複数の情報は、世界各地の時刻と自機の存在する土地の時刻という互いに相関のある情報である。これらの情報は、単に双方の土地が経度上どの方向にどの程度離れているかのみで決まるものであり、固定的な関係にある。例えば、特許文献１の時計によれば、ソウルで午前１０時１０分に合わせると、シカゴの現在時刻が午後７時１０分であることを知ることができる。しかし、シカゴの現在時刻は、ソウルの現在時刻とソウル−シカゴ間の地理関係とによって定まる情報に過ぎない。従って、時刻と全く相関のない情報を表示させることはできない。
本発明は、上述した背景に鑑みてなされたものであり、互いに相関のない複数の情報を、それぞれ異なる態様で表示する仕組みを提供することを目的とする。
【課題を解決するための手段】
【０００４】
上述した課題を解決するため、本発明に係る時計は、時刻を計測する計時手段と、表示対象となる値を取得する取得手段と、時刻の指標が表記された複数の指標表記片からなる表記盤と、前記表記盤に表記された前記指標に従って、前記計時手段により計測された時刻を表示する時刻表示手段と、前記複数の指標表記片のそれぞれの位置又は姿勢を相対的に変化させて、前記取得手段により取得された値を表示する値表示手段とを具備することを特徴とする。
これにより、時刻と相関のない情報を、時刻表示と異なる態様で表示することができる。
【０００５】
好ましくは、前記値表示手段は、前記表記盤において時刻の指標が表示されている面の裏側に配置され、前記表示対象となる値の指標が表記された値指標表記盤を具備し、前記複数の指標表記片のそれぞれの位置又は姿勢を相対的に変化させて各指標表記片の間隙から前記値指標表記盤を露出させて、露出した当該値指標表記盤に表記された指標によって前記値を表示するとよい。
これにより、時刻に相関のない情報として、数値を表示することができる。
【０００６】
また、好ましくは、前記時刻表示手段は、前記表記盤に表記された前記指標のいずれかを指し示す指示部材を或る点を中心に回転させて、前記計時手段により計測された時刻を表示し、前記値表示手段は、前記複数の指標表記片の少なくともいずれかを、前記点を中心に回転させて各指標表記片の間隙から前記値指標表記盤を露出させて、露出した当該値指標表記盤に表記された指標によって前記値を表示するとよい。
これにより、指標表記片と指示部材の駆動系を共通化することができる。
【０００７】
また、好ましくは、前記時刻表示手段は、前記表記盤に表記された前記指標のいずれかを指し示す指示部材を駆動して、前記計時手段により計測された時刻を表示し、前記値表示手段は、前記表記盤における前記指示部材の位置を取得し、取得した位置に応じて、前記複数の指標表記片の中から、位置または姿勢を変化させる指標表記片を選択するとよい。
これにより時刻に相関のない情報を、時刻に応じた態様で表示することができる。
【０００８】
また、好ましくは、前記値表示手段は、取得した前記指示部材の位置に基づいて、当該指示部材が指し示す指標が表記された指標表記片を特定し、特定した指標表記片以外の指標表記片を、位置または姿勢を変化させる指標表記片として選択するとよい。
これにより、指示部材が時刻を表示した状態で、選択した指標表記片に表示対象となる値を表示することができる。
【０００９】
また、好ましくは、前記値表示手段は、利用者の操作に応じた信号を取得する信号取得手段と、前記信号取得手段により取得された信号に応じて、前記値表示手段による表示を行わせるか否かを決定する決定手段とを具備するとよい。
これにより、利用者は時計に対して、時刻に相関のない情報を表示させるか否かの指示をすることができる。
【００１０】
また、本発明に係る表示装置は、表示対象となる第１の値を取得する第１取得手段と、表示対象となる第２の値を取得する第２取得手段と、前記第１の値の指標が表記された複数の指標表記片からなる表記盤と、前記表記盤に表記された前記指標に従って、前記第１取得手段により取得された第１の値を表示する第１表示手段と、前記複数の指標表記片のそれぞれの位置又は姿勢を相対的に変化させて、前記第２取得手段により取得された第２の値を表示する第２表示手段とを具備することを特徴とする。
これにより、互いに相関のない複数の情報を、それぞれ異なる態様で表示することができる。
【発明を実施するための最良の形態】
【００１１】
本発明を実施するための最良の形態について説明する。ここでは本発明に係る表示装置の一例である腕時計９について説明する。
［実施形態］
（１．腕時計の全体構成）
図１は、本発明の実施形態に係る腕時計９を正面から見たときの外観を示す図である。図２は、この腕時計９の主要部の分解斜視図である。図２に示すように、腕時計９の筐体２は、一方の側が開口した有底の円筒状部材であり、腕時計９の内部に収容される各構成部材を外部から保護する。また、筐体２は、側面に操作部７を備え、内部に後述する制御部８（図２においては図示せず）を備えている。筐体２には、上記の開口部分から、軸６、仕切盤２１、指標表記片１Ａ、指標表記片１Ｂ、秒針３、長針４および短針５がこの順に矢線Ｄ１方向に重ねて嵌め込まれる。そして、さらに図示しない透明の保護盤が筐体２の開口部分に嵌め込まれて、腕時計９が組み立てられる。そして、この腕時計９をバンドにより手首に固定することにより、腕時計９は腕に装着される。
【００１２】
軸６は、接続部６１と動力伝達機構６２とを有しており、矢線Ｄ１における前方に動力伝達機構６２を、後方に接続部６１を配した向きで筐体２に装着される。接続部６１は、指標表記片１Ａ、指標表記片１Ｂ、秒針３、長針４および短針５（以下、これらを表示部材という）とそれぞれ接続する複数の部分を有しており、これら複数の部分は軸６を中心として互いに独立して回転する。動力伝達機構６２は、例えば筒車や日ノ裏車等の歯車を備えており、制御部８から受け取った動力を接続部６１の上述した部分に応じて、そのまま又は変速してから伝達する。これにより、制御部８から受け取った動力は、各表示部材に異なった動力として伝えられる。つまり、軸６は、制御部８から受け取った動力を、表示部材へ伝える動力伝達手段の一例である。
【００１３】
仕切盤２１は、その面が矢線Ｄ１と略垂直、かつ、その略中央を軸６が貫通した状態で筐体２に嵌め込まれ、筐体２の内部空間を、制御部８が収容される背面空間と、表示部材が収容される正面空間とに仕切る。この背面空間は、仕切盤２１によって矢線Ｄ１における前方側に仕切られて成る空間であり、この正面空間は、仕切盤２１によって矢線Ｄ１における後方側に仕切られて成る空間である。したがって、接続部６１は正面空間に、動力伝達機構６２は背面空間にそれぞれ配置される。
【００１４】
指標表記片１Ａおよび指標表記片１Ｂは、いずれも半円形の表記盤であり、円形の表記盤をその中心を通る直線である分割線Ｃで切断した形状を有している。指標表記片１Ａには１５分から４５分までを示す目盛りと「時」を表す「ＩＶ」、「ＶＩ」および「ＶＩＩＩ」の数字とが記載されている。指標表記片１Ｂには４５分から０分を経て１５分までを示す目盛りと「時」を表す「Ｘ」、「ＸＩＩ」および「ＩＩ」の数字とが記載されている。すなわち、指標表記片１Ａおよび指標表記片１Ｂは、表面に目盛りや数字等の「時刻の指標」が表記された指標表記片である。図１に示すように、指標表記片１Ａを同図の下方向に配置し、指標表記片１Ｂを同図の上方向に配置して、両者を分割線Ｃでつなぎ合わせると、腕時計９の表記盤１が形成される。なお、以下、指標表記片１Ａの外縁における直線部分である分割線Ｃを分割線Ｃａと、指標表記片１Ｂの外縁における直線部分である分割線Ｃを分割線Ｃｂとそれぞれ表記する。
【００１５】
この腕時計９は、制御部８により、表記盤に表記された指標に従って、計時手段により計測された時刻を表示する。例えば、図１の例においては、短針５は「Ｘ」が記載された位置よりも右回りに進んだ位置、すなわち１０時台を指し、長針４は「ＩＩ」が記載された位置、すなわち「１０分」を指しているから、この腕時計９が示す時刻は「１０時１０分」である。このように、指標表記片１Ａおよび指標表記片１Ｂが分割線Ｃでつなぎ合わされて表記盤１が形成された状態では、腕時計９は、時分を表示する時計として用いられる。
【００１６】
（２．制御部の構成）
次に、制御部８について説明する。図３は、腕時計９に備えられた制御部８の構成を示すブロック図である。水晶振動子８３１は、基準周波数（例えば３２．７６８ｋＨｚ）を有する源発振信号を生成する。基準信号作成回路８３は、この源発振信号の基準周波数を分周して単位時間に対応する周波数（例えば１Ｈｚ）のクロック信号（基準信号）を作成し、制御回路８１に出力する。制御回路８１は、このクロック信号を受けてステッピングモータ等の表示駆動回路８２を制御して単位時間ごとに回転する動力を発生させる。表示駆動回路８２によって発生された動力は、軸６の動力伝達機構６２に伝えられる。そして、動力伝達機構６２に伝えられた動力により、秒針３、長針４および短針５が回転し、表記盤１の指標が表記されたいずれかの位置を指し示すことによって、クロック信号に応じた現在時刻を表示する。すなわち、制御部８は、時刻を計測する計時手段の一例である。また、秒針３、長針４および短針５は、表記盤に表記された指標のいずれかを指し示す指示部材の一例である。そして、ここでは、これらの指示部材と表記盤１と軸６と制御部８とによって、表記盤に表記された指標に従って、計時手段により計測された時刻を表示する時刻表示手段が構成されている。
【００１７】
脈拍測定回路８４は、制御回路８１から脈拍測定開始を示す制御信号を受け取ると図示しないメモリに記憶される脈拍の回数を示す脈拍回数をリセットし、脈拍センサ８４１を駆動して脈拍回数の計数を開始する。この脈拍センサ８４１は、腕時計９を腕に装着した際に、その腕の橈骨動脈にあてがわれるように、上記のバンドに付随して備えられている。脈拍センサ８４１には、ＬＥＤ等を有する赤外線発光部と、フォトダイオード等を有する赤外線受光部と、制御信号および測定信号を遣り取りするためのリード線等が備えられている。赤外線発光部は予め定められた周波数および強度の赤外線を照射する装置であり、赤外線受光部は受光した赤外線の強度に応じた測定信号を発する装置である。脈拍センサ８４１の赤外線発光部は、脈拍測定回路８４から脈拍測定開始を示す制御信号を受け取ると、脈拍測定終了を示す制御信号を受け取るまでの間、赤外線を橈骨動脈に向けて照射する。そして、脈拍センサ８４１の赤外線受光部は、この橈骨動脈を流れる血液によって反射または吸収された赤外線を受光し、これに応じた測定信号を脈拍測定回路８４に出力する。
【００１８】
血液には照射する赤外線の波長を反射または吸収する物質が溶解ないし分散しているので、反射光や吸収光は、照射した橈骨動脈を流れる血液中のこの物質の濃度に応じて変化する。血管のある位置を通過する血液の上記物質の濃度は、脈拍に応じて変化するため、脈拍測定回路８４は、受け取った測定信号の変動から脈拍回数を計数する。そして、制御回路８１から脈拍測定終了を示す制御信号を受け取ると、脈拍測定回路８４は、脈拍センサ８４１を停止させると共に、計数された脈拍回数を示す測定信号を制御回路８１に出力する。
【００１９】
操作部７は、ボタン等の操作子を有しており、操作子が押下されると、これに応じた操作信号を制御回路８１に出力する。この操作部７を予め定められた操作手順で操作すると、操作部７は制御回路８１に対し、脈拍測定をする旨の操作信号を出力する。この操作信号を受け取ると、制御回路８１は、基準信号作成回路８３からクロック信号を受け付け続けると共に、脈拍測定開始を示す制御信号を脈拍測定回路８４に出力する、そして、この制御信号を出力してからの経過時間をクロック信号により計測し、計測した経過時間が予め定められた閾値（例えば１５秒）を超えると、脈拍測定終了を示す制御信号を脈拍測定回路８４に出力する。そしてその後、制御回路８１は、脈拍測定回路８４から受け取った測定信号から得られる脈拍回数と、上記の経過時間に基づいて、単位時間（ここでは１分とする）当たりの脈拍回数（以下、単に脈拍数という）を算出し、この脈拍数に応じて、表示駆動回路を駆動させることにより、脈拍数が表示される。例えば、脈拍測定回路８４から受け取った測定信号から得られる脈拍回数が「２０」であり、経過時間が「１５秒」であるならば、制御回路８１は、脈拍数「８０」を算出する。したがって、脈拍数は腕時計９によって表示される表示対象となる値の一例であり、制御回路８１は表示対象となる値を取得する取得手段の一例である。
【００２０】
（３．仕切盤の構成）
図４は、仕切盤２１を図２における矢線Ｄ１方向（すなわち図１における正面）から見た図である。仕切盤２１の正面側には、中心点Ｏを中心とし、この中心点Ｏから図１における右方向（すなわち、３時の方向）に伸びる線分Ｌが描かれている。そして、この線分Ｌを基準として反時計回りの中心角が略直角である扇形の測定値表示領域２１１が描かれている。この測定値表示領域２１１には、その中心点Ｏから放射状に描かれた複数の線と、これらの線の付近であって測定値表示領域２１１の円弧に沿った位置に、各線に対応する数値がそれぞれ表記されている。この数値は脈拍数を示しており、同図においては脈拍数「０」から脈拍数「１８０」までが記載されている。また、脈拍数「６０」から脈拍数「８０」までに対応する線で囲まれた扇形の領域は、脈拍数が「正常値」であることを示す領域であり、他の領域とは異なった色が塗られている。すなわち、この測定値表示領域２１１が描かれた仕切盤２１は、表記盤において時刻の指標が表示されている面の裏側に配置され、表示対象となる値の指標が表記された値指標表記盤の一例である。なお、制御回路８１は、この測定値表示領域２１１に表記された各数値と、放射状に描かれた線の角度（線分Ｌからこの線までの反時計回りの中心角）との対応関係を予め図示しない不揮発性の記憶装置に記憶している。例えば、脈拍数「８０」と、図に示す角度θ80とを対応付けて記憶しているという具合である。この対応付けは、例えば線形比例式などにより算出されるものであってもよい。
【００２１】
（４．脈拍測定時の腕時計の動作）
上記の構成で、利用者が上述したように予め定めた操作手順により操作部７を操作すると、操作部７から「脈拍測定をする旨の操作信号」が出力される。そして、この操作信号を受け取った制御回路８１は、脈拍数を算出し、この脈拍数に応じて、以下に示すように表示駆動回路８２を駆動させる。すなわち、制御回路８１は、上述した対応関係に基づいて脈拍数に対応した線の角度を特定し、表示駆動回路８２を駆動して、指標表記片１Ｂの分割線Ｃｂがこの角度になるように指標表記片１Ｂを回転させる。図５は、脈拍測定時の腕時計の外観を示す図である。なお、同図においては説明を簡略にするため、図１に示した秒針３、長針４および短針５を省略している。
【００２２】
同図に示すように、指標表記片１Ｂは矢線Ｄ２に沿って反時計回りに回転している。この例では制御回路８１は、脈拍測定回路８４から脈拍数「７０」を示す測定信号を受け取っているため、指標表記片１Ｂの分割線Ｃｂは脈拍数「７０」を示す角度に一致している。利用者は、測定値表示領域２１１におけるこの分割線Ｃｂの位置に記載された脈拍数の数値を読み取ることで、脈拍数「７０」を知る。また、この脈拍数「７０」は他の領域とは異なった色が塗られている領域にあるので、脈拍数が「正常値」であることを知る。したがって、ここでは、指標表記片１Ａ，１Ｂと仕切盤２１と軸６と制御部８とによって、複数の指標表記片のそれぞれの位置又は姿勢を相対的に変化させて、取得された値を表示する値表示手段が構成されている。
【００２３】
［変形例］
以上が実施形態の説明であるが、この実施形態の内容は以下のように変形し得る。また、以下の変形例を適宜組み合わせてもよい。
（変形例１）
上述の実施形態において、制御部８の表示駆動回路８２は、指標表記片１Ｂのみを駆動させ、指標表記片１Ａを駆動させなかったが、指標表記片１Ａを駆動させてもよい。また、これらを同時に駆動させて複数の指示値を表示してもよい。また、図４に示した測定値表示領域２１１は扇形に限られず、仕切盤２１の全ての位置に割り当てられていてもよい。図６は、この変形例１における測定値表示領域２１１の一例を示す図である。図６に示すように、仕切盤２１の正面側には、線分Ｌを基準として反時計回りの方向に最高血圧表示領域２１１ｈが、線分Ｌを基準として時計回りの方向に最低血圧表示領域２１１ｌが、それぞれ表記されている。この最高血圧表示領域２１１ｈと最低血圧表示領域２１１ｌは、いずれも測定値表示領域２１１である。そして、制御部８には、脈拍測定回路８４に替えて血圧測定回路が備えられている。この血圧測定回路は、制御回路８１から測定開始の制御信号を受け取ると血圧測定器を駆動して、腕時計９の利用者の最高血圧値と最低血圧値を測定し、これらを示す測定信号を制御回路８１に出力する。この測定信号を受け取った制御回路８１は、これに示される最高血圧値と最低血圧値とを特定し、表示駆動回路８２を制御して最高血圧値に対応する角度に指標表記片１Ｂを回転させると共に、最低血圧値に対応する角度に指標表記片１Ａを回転させる。
【００２４】
図７は、この変形例１において腕時計９が測定値を表示する態様を示す図である。なお、同図において、秒針３、長針４および短針５は図１と同じであるため省略する。図７に示すように、指標表記片１Ｂは反時計回りに回転するので、隠れていた最高血圧表示領域２１１ｈの一部が現れる。また、指標表記片１Ａは時計回りに回転するので、隠れていた最低血圧表示領域２１１ｌの一部が現れる。これにより利用者は、指標表記片１Ｂの分割線Ｃｂと最高血圧表示領域２１１ｈの記載に基づいて、最高血圧値を認識し、指標表記片１Ａの分割線Ｃａと最低血圧表示領域２１１ｌの記載に基づいて、最低血圧値を認識すればよい。
【００２５】
（変形例２）
上述の実施形態において、表記盤１は２つの指標表記片１Ａおよび指標表記片１Ｂに分割されていたが、指標表記片は３つ以上であってもよい。また、これらの指標表記片のそれぞれが駆動することによって表示される値は相互に異なっていてもよいし、同じであってもよい。さらに、複数の指標表記片のうち、いずれか一つを駆動させる場合であって、どの指標表記片を駆動させても同じ値を表示することができる場合には、長針４や短針５等の指示部材が重なっているか否かに応じて、駆動させる指標表記片を選択してもよい。図８は、この変形例２を説明するための図である。同図には、４つの指標表記片１Ｃ，１Ｄ，１Ｅ，１Ｆが並べられて形成される表記盤１が表されている。なお、同図において、秒針３、長針４、短針５および表記盤１に表記された指標は図１と同じであるため省略する。各指標表記片は中心角が略直角の扇形であり、いずれの指標表記片も反時計回りにのみ回転する。図９は、この変形例２における仕切盤２１の正面側に描かれた４つの測定値表示領域２１１ｃ，２１１ｄ，２１１ｅ，２１１ｆを表す図である。いずれの測定値表示領域２１１も中心角が直角以下の扇形である。
【００２６】
制御回路８１は、基準信号作成回路８３から受け取ったクロック信号によって、現在時刻を算出し、算出した現在時刻を示す情報を図示しない記憶部に記憶すると共に、表示駆動回路８２を制御して、長針４や短針５等の指示部材が現在時刻に応じた配置になるように駆動させている。ここで、制御回路８１は、脈拍測定開始の操作信号を操作部７から受け取ると、記憶部に記憶した現在時刻を示す情報から各指示部材の位置を取得する。そして、制御回路８１は、取得したこれらの位置に基づいて、指示部材が指し示す指標が表記された指標表記片を特定し、特定した指標表記片以外の指標表記片を選択する。すなわち、これらの指示部材が重なっていない指標表記片を選択する。そして、選択した指標表記片を駆動すればよい。なお、制御回路８１は、操作部７から脈拍測定開始の操作信号を受け取った直後に、基準信号作成回路８３から受け取ったクロック信号に基づいて各指示部材の配置を特定してもよい。
【００２７】
図１０は、この変形例２において、時刻が「１０時１０分」であるときに脈拍値を表示する腕時計９を表した図である。同図に示すように、短針５は、指標表記片１Ｄと重なっており、長針４は、指標表記片１Ｃと重なっている。したがって、長針４および短針５と重なっていない指標表記片は、指標表記片１Ｅおよび指標表記片１Ｆである。制御回路８１は、複数の指標表記片が指示部材と重なっていないことを認識した場合には、予め定められた優先順位に従ってこれら指示部材と重なっていない指標表記片から１の指標表記片を選択する。なお、これ以外にも乱数等を利用してこれら指示部材と重なっていない指標表記片から１の指標表記片を選択してもよい。このようにして選択された指標表記片は、ここでは指標表記片１Ｅである。そして、制御回路８１は、表示駆動回路８２を制御して指標表記片１Ｅを矢線Ｄ３方向（すなわち反時計回り）に回転させればよい。利用者は、同図に示すように、回転した指標表記片１Ｅの分割線Ｃｅの位置と測定値表示領域２１１ｅに基づいて、脈拍値を認識すればよい。なお、複数の指標表記片が指示部材と重なっていないことを認識した場合に、これら指示部材と重なっていない指標表記片から１の指標表記片を選択するのではなく、これら指示部材と重なっていない指標表記片の全てを駆動させてもよい。
【００２８】
一方、図１１は、この変形例２において、時刻が「６時２５分」であるときに脈拍値を表示する腕時計９を表した図である。この場合には、短針５は、指標表記片１Ｅと重なっており、長針４は、指標表記片１Ｆと重なっている。したがって、上述したように、制御回路８１は、指示部材と重なっていない指標表記片の１つとして指標表記片１Ｃを選択し、表示駆動回路８２を制御して、選択した指標表記片１Ｃを矢線Ｄ４方向に回転させる。利用者は、同図に示すように、回転した指標表記片１Ｃの分割線Ｃｃの位置と測定値表示領域２１１ｃに基づいて、脈拍値を認識すればよい。
【００２９】
なお、この変形例２では、指示部材が重なっていない指標表記片を、駆動させる指標表記片として選択していたが、指示部材が重なっている指標表記片を、駆動させる指標表記片として選択してもよい。要するに、腕時計９は、表記盤１における指示部材の位置を取得し、取得した位置に応じて、複数の指標表記片の中から、位置または姿勢を変化させる指標表記片を選択すればよい。
【００３０】
（変形例３）
上述の実施形態において、複数の指標表記片の分割線をつなぎ合わせて表記盤を形成する際に、各指標表記片同士は重なり合わなかったが、指標表記片は表記盤を形成する際に互いに重なり合う部分を有していてもよい。また、仕切盤２１の正面側に描かれた測定値表示領域２１１は、中心点Ｏから放射状に伸びた線の角度によって測定値を表示していたが、測定値表示領域２１１の表示態様として他の態様を採用してもよい。
【００３１】
図１２は、この変形例３における腕時計９の表示態様の一例を示す図である。図１２（ａ）に示すように、腕時計９の表記盤１は、指標表記片１Ｐおよび指標表記片１Ｑを備えており、指標表記片１Ｐおよび指標表記片１Ｑが表記盤１を形成している状態において、互いに重なり合う部分Ｒを有している。この部分Ｒは、指標表記片１Ｐの外周の一部である曲線Ｃｐと、指標表記片１Ｑの外周の一部である曲線Ｃｑとで囲われている。表示駆動回路８２によって指標表記片１Ｐが矢線Ｄ５方向（すなわち反時計回り）に回転させられると、図１２（ｂ）に示すように、曲線Ｃｐと曲線Ｃｑとの間の間隙から仕切盤２１の正面側に記載された測定値表示領域２１１ｐが露出する。この露出した測定値表示領域２１１ｐには、中心点Ｏから同心円状に区切られた目盛りによって、脈拍値等の測定値の指標が表示されている。さらに指標表記片１Ｐが反時計回りに回転すると、図１２（ｃ）に示す状態となり、測定値表示領域２１１ｐは、図１２（ｂ）に示す状態よりも広い領域が露出する。利用者は、この測定値表示領域２１１ｐに記載された同心円状の目盛りと、曲線Ｃｐおよび曲線Ｃｑの交点の位置とに基づいて、脈拍値を認識すればよい。
【００３２】
（変形例４）
上述の実施形態において、各表示部材は、全て軸６によって回転可能に指示されていたが、表示部材は軸６以外の部材によって回転可能に指示されてもよい。例えば、各表示部材は、アクリルやガラス等の透明な円盤を円形の枠に嵌め込んで構成されており、軸６に替えてこの枠を回転させるようにしてもよい。このようにすると、表記盤１の中央に軸６がないため、表記盤１を広く使ったデザインを用いることができる。
【００３３】
（変形例５）
上述の実施形態において、腕時計９は、操作信号があったときに測定値を表示していたが、操作信号がないときでも測定値を表示するようにしてもよい。例えば、腕時計９において、測定値を表示していないときでも測定が行われており、その測定値が予め定めた閾値を超えたことを判断すると、制御回路８１が表示駆動回路８２を制御して、指標表記片１Ｂを回転させて、その測定値を表示してもよい。
【００３４】
また、指標表記片１Ｂの回転する角度は測定値に応じて連続して変化したが、回転する角度は一定として、閾値を超えたか否かを示すだけとしてもよい。この場合、仕切盤２１に測定値表示領域２１１を記載しなくてもよい。この態様によれば、例えば、腕時計９は、脈拍値が異常となったときだけ指標表記片１Ｂを予め定めた位置まで回転させ、利用者に脈拍値の異常を報知することができる。また、この場合、仕切盤２１はなくてもよい。この態様によれば、指標表記片１Ｂが回転することにより、利用者は、駆動伝達機構６２等、腕時計９の内部機構を視認することで、閾値を超えたか否かを知ることができる。すなわち、この腕時計９は、いわゆるスケルトンデザインを用いることができる。なお、この場合の表示対象となる値とは、脈拍値そのものではなく、脈拍値が閾値を超えたか否かを示す真偽値である。また、時刻以外の表示対象となる値は、何らかの測定装置によって測定された測定値以外であってもよい。例えば、利用者が操作部７を押下したか否かを示す真偽値を表示対象となる値として用いてもよい。
【００３５】
（変形例６）
上述の実施形態において、指標表記片は軸や中心点を中心として回転したが、指標表記片の位置または姿勢の変化の態様はこれに限られない。例えば、指標表記片は平行移動をしてもよい。この場合、例えば、矩形の表示盤は、直線で分割されて２つの矩形の指標表記片となっている。指標表示片の一方は、この分割した直線に対して垂直な二辺が腕時計９の筐体２に設けられた溝によって保持されている。そして、測定値を表示する際に、この指標表示片がリンクやカムなどの動力伝達機構６２によって、もう一方の指標表示片から離れる方向に引っ張られ、筐体２のこの溝に沿って平行移動すればよい。この結果、腕時計９は、平行移動した指標表示線の外縁である上記直線の位置によって、制御回路８１が取得した値を表示すればよい。要するに、この腕時計９の制御回路８１は表示駆動回路８２を駆動して、複数の指標表記片のそれぞれの位置又は姿勢を、表示対象となる値に応じて変化させればよい。そして、この腕時計９の利用者は、各指標表記片の相対的な位置の違い又は各指標表記片の相対的な姿勢の違いによって表示される値を認識すればよい。
【００３６】
（変形例７）
上述の実施形態において、表示装置は腕時計９であったが、腕時計以外の時計であってもよいし、時刻以外の他の値を表示する表示装置であってもよい。例えば、表示装置は置時計や掛け時計等であってもよいし、気温を測定する温度計、湿度を測定する湿度計、速度を測定する速度計、重量を測定する重量計、距離を測定する距離計、地震の強さを測定する震度計、照度を測定する照度計、騒音を測定する騒音計等であってもよい。また、測定される値は、脈拍および血圧以外であってもよく、例えば歩数、カロリー消費量、体脂肪値および体温等であってもよい。要するに、表示装置は、表示対象となる第１の値を取得する第１取得手段と、表示対象となる第２の値を取得する第２取得手段と、第１の値の指標が表記された複数の指標表記片からなる表記盤と、表記盤に表記された指標に従って、第１取得手段により取得された第１の値を表示する第１表示手段と、複数の指標表記片のそれぞれの位置又は姿勢を相対的に変化させて、第２取得手段により取得された第２の値を表示する第２表示手段とを具備していればよい。
【図面の簡単な説明】
【００３７】
【図１】本発明の実施形態に係る腕時計を正面から見たときの外観を示す図である。
【図２】本発明の実施形態に係る腕時計の主要部の分解斜視図である。
【図３】腕時計に備えられた制御部の構成を示すブロック図である。
【図４】仕切盤を正面から見た図である。
【図５】脈拍測定時の腕時計の外観を示す図である。
【図６】変形例１における測定値表示領域の一例を示す図である。
【図７】変形例１において腕時計が測定値を表示する態様を示す図である。
【図８】変形例２を説明するための図である。
【図９】変形例２における４つの測定値表示領域を表す図である。
【図１０】変形例２において、１０時１０分における脈拍値の表示を示した図である。
【図１１】変形例２において、６時２５分における脈拍値の表示を示した図である。
【図１２】変形例３における腕時計の表示態様の一例を示す図である。
【符号の説明】
【００３８】
１…表記盤、１Ａ，１Ｂ，１Ｃ，１Ｄ，１Ｅ，１Ｆ，１Ｐ，１Ｑ…指標表記片、２…筐体、２１…仕切盤、２１１，２１１ｃ，２１１ｄ，２１１ｅ，２１１ｆ，２１１ｐ…測定値表示領域、２１１ｈ…最高血圧表示領域、２１１ｌ…最低血圧表示領域、３…秒針、４…長針、５…短針、６…軸、６１…接続部、６２…動力伝達機構、７…操作部、８…制御部、８１…制御回路、８２…表示駆動回路、８３…基準信号作成回路、８３１…水晶振動子、８４…脈拍測定回路、８４１…脈拍センサ、９…腕時計。
【図１】
2010071739.tif 000003
【図２】
2010071739.tif 000004
【図３】
2010071739.tif 000005
【図４】
2010071739.tif 000006
【図５】
2010071739.tif 000007
【図６】
2010071739.tif 000008
【図７】
2010071739.tif 000009
【図８】
2010071739.tif 000010
【図９】
2010071739.tif 000011
【図１０】
2010071739.tif 000012
【図１１】
2010071739.tif 000013
【図１２】
2010071739.tif 000014